(57)【特許請求の範囲】
【請求項１】
開口部に対して開閉可能に支持されたドアまたは前記開口部を画成するドア枠もしくは
ドア開放位置に対応する壁面の一方に取り付けられるベース部材と、前記ドアまたはドア枠もしくは壁面の他方に取り付けられ、ドアの閉動時または開動時に前記ベース部材内に進入する制動部材と、を有し、
上記ベース部材は、上記制動部材の移動路を挟むように互いに対向する二つの摺動面を有し、
上記制動部材は、前記二つの摺動面に対向する二つのプッシャーから構成され、前記二つのプッシャーは、互いに摺動機構を介して前記ベース部材内への進入方向に摺動可能に係合し、前記摺動機構は、一方のプッシャーが他方のプッシャーに対して前記ベース部材内に進入する向きと逆向きに摺動するにつれて前記二つのプッシャーが互いに離反するようなテーパーを有し、
前記制動部材が前記ベース部材の摺動面間に進入する際には、前記一方のプッシャーが前記他方のプッシャーに対して前記ベース部材内への進入方向と逆向きに摺動し、前記二つのプッシャーが互いに離反する方向に付勢され、前記二つのプッシャーと前記二つの摺動面との摩擦力によりドアの閉動または開放が抑制されることを特徴とする、ドアの制動装置。
【請求項２】
前記ドアが、前記開口部に対して平行移動可能に支持された引き戸であって、
前記ベース部材が、前記ドア開閉による前記制動部材の直線状の移動路に沿って配置さ
れている
ことを特徴とする、請求項１に記載のドアの制動装置。
【請求項３】
前記ドアが、前記開口部の一側に枢支された開き戸であって、
前記ベース部材が、前記ドア開閉による前記制動部材の円弧状の移動路に沿って配置さ
れている
ことを特徴とする、請求項１に記載のドアの制動装置。
【請求項４】
前記二つの摺動面の間隔が上記制動部材の進入側に近づくにつれて徐々に広がるように、各摺動面の上記制動部材の進入側の領域が斜面として形成されていることを特徴とする、
請求項１から３の何れかに記載のドアの制動装置。
【請求項５】
前記二つのプッシャーは、摺動面に垂直な方向に互いに離反するように弾性部材により
付勢されていることを特徴とする、請求項１から４の何れかに記載のドアの制動装置。
【請求項６】
前記摺動機構は、前記一方のプッシャーにおける前記他方のプッシャーに対する摺動範
囲を制限する調整ネジを有することを特徴とする、請求項１から５の何れかに記載のドア
の制動装置。
【請求項７】
前記制動部材は、支持部材を介して、前記支持部材に対して前記摺動面に垂直な方向へ
の遊びをもって取り付けられることを特徴とする、請求項１から６の何れかに記載のドア
の制動装置。
【請求項８】
前記摺動機構は、前記一方のプッシャーに設けられた斜めスロットと、前記他方のプッ
シャーに設けられ且つ前記斜めスロットに係合するガイド部材と、から成り、
前記斜めスロットは、前記ベース部材に近づくにつれて前記摺動面に接近する傾斜を有することを特徴とする、請求項１から７の何れかに記載のドアの制動装置。
【請求項９】
前記ベース部材はドア枠に取り付けられ、前記制動部材はドアに取り付けられることを特徴とする、請求項１から８の何れかに記載のドアの制動装置。
【請求項１０】
前記ベース部材は前記ドア枠に取り付けられ、ドアの閉動時に、前記制動部材が前記ベ
ース部材の摺動面間に進入し、前記二つのプッシャーと前記二つの摺動面との摩擦力によ
りドアの閉動が抑制されることを特徴とする、請求項１から９の何れかに記載のドアの制動装置。
【発明の詳細な説明】
【技術分野】
【０００１】
本発明は、開口部に開閉可能に支持されたドアの閉動速度を抑制するためのドアの制動装置に関するものである。
【背景技術】
【０００２】
従来、例えば住宅の玄関等の開口部の一側に蝶番により揺動可能に支持されたドアにおいて、ドア閉動速度を抑制するために、所謂ドアクローザ（またはドアチェック）が多く使用されている。
このようなドアクローザは、ドアが開口部に対して閉鎖位置まで移動する際に、開度が大きい場合には、高い速度でドアを閉動させるが、所定開度以下になると、ドアの閉動速度を抑制して、ゆっくりと閉動させる。あるいは、ドア閉動速度を開度に応じて複数段階で減速させるようなドアクローザも知られている。
これにより、ドア閉動時におけるドアと開口部との間での人の手指の挟み込みを防止すると共に、ドアが開口部付近の固定部分例えば開口部の周囲の枠体に衝突して大きな音を発生させることを防止する。
【０００３】
これに対して、特許文献１には、下方に開口した断面概略Ｃ字状をなすレールの下端縁部内側を転動して走行するランナと、該ランナに連結されると共に戸に埋め込み固定される取付部と、該戸の動きに応じて制動力を発生する制動部材とを備える戸の制動装置において、前記制動部材が、前記レールの内側天面の所定位置に固着された制動力付与部材と、前記ランナに設けられて、閉じられる戸が所定位置に達すると前記制動力付与部材に当接し、その後の閉動に応じて当該当接力を増大させながら前記制動力付与部材と摺擦して一定の制動力を発揮し、戸を開く場合には前記制動力が減少するように当接力を減少させ、戸が所定位置に達すると該制動力付与部材との当接が解除するように動作する制動部材本体とを備えることを特徴とする戸の制動装置が開示されている。
【０００４】
このような構成の戸の制動装置によれば、例えば戸を開く際には開動作に応じて、制動部材本体と制動力付与部材との当接力が徐々に減少して当接解除するため、制動部材本体が踊って異音を発生するような事態を防止することが可能になる。
【先行技術文献】
【特許文献】
【０００５】
【特許文献１】特開２００６−２０７２３２号公報
【発明の概要】
【発明が解決しようとする課題】
【０００６】
ところで、前述した従来のドアクローザにおいては、手指等の挟み込み防止及び静穏のために、所定開度になると、ドア閉動速度が減速される。従って、ドアがゆっくり閉動するまでの間に手指等をドアの縁部と開口部との間から引き抜くことにより、手指等の挟み込みを防止することができる。
しかしながら、ドアは所定開度以下になっても、低速でそのまま閉鎖動作を継続して閉鎖位置まで達することになる。このため、ドアの縁部と開口部との間の隙間への手指等の挟み込みを完全に防止することはできない。
【０００７】
また、ドア閉動時の閉動速度が高速から低速に切り換わる所定開度は、一般に、ドアの蝶番とは反対側の側縁と開口部との間の隙間における手指等の挟み込みを防止するために、通常約１０度以下である。従って、ドアの取付側（蝶番側）の隙間に誤って手指等が入った場合には、ドアが高速で閉動している状態で、この隙間に手指等が挟み込まれてしまうことになる。
【０００８】
これに対して、特許文献１記載されている戸の制動装置においては、制動部材本体と制動力付与部材との当接によって、戸の開動作が制動されるが、制動部材本体に対して、一側から制動力付与部材が当接しているので、制動動作中、制動部材本体及び制動力付与部材にはトルクが作用することになる。従って、制動部材本体及び制動力付与部材の取付強度を高くする必要がある。
【０００９】
本発明は、以上の点に鑑み、簡単な構成により、ドア閉動時の手指等の挟み込みや騒音を確実に防止し得るようにしたドアの制動装置を提供することを目的としている。
【課題を解決するための手段】
【００１０】
上記目的は、本発明の構成によれば、開口部に対して開閉可能に支持されたドアまたは
開口部を画成するドア枠もしくはドア開放位置に対応する壁面の一方に取り付けられるベース部材と、ドアまたはドア枠もしくは壁面の他方に取り付けられ、ドアの閉動時または開動時にベース部材内に進入する制動部材と、を有し、ベース部材は、制動部材の移動路を挟むように互いに対向する二つの摺動面を有し、制動部材は、二つの摺動面に対向する二つのプッシャーから構成され、二つのプッシャーは、互いに摺動機構を介して前記ベース部材内への進入方向に摺動可能に係合し、摺動機構は、一方のプッシャーが他方のプッシャーに対してベース部材内に進入する向きと逆向きに摺動するにつれて二つのプッシャーが互いに離反するようなテーパーを有し、制動部材がベース部材の摺動面間に進入する際には、一方のプッシャーが他方のプッシャーに対してベース部材内への進入方向と逆向きに摺動し、二つのプッシャーが互いに離反する方向に付勢され、二つのプッシャーと二つの摺動面との摩擦力によりドアの閉動または開動が抑制されることを特徴とする、ドアの制動装置により、達成される。
【００１１】
本発明によるドアの制動装置は、好ましくは、ドアが開口部に対して平行移動可能に支持された引き戸であって、ベース部材がドア開閉による制動部材の直線状の移動路に沿って配置されている。
【００１２】
本発明によるドアの制動装置は、好ましくは、ドアが開口部の一側に枢支された開き戸であって、ベース部材がドア開閉による制動部材の円弧状の移動路に沿って配置されている。
【００１３】
本発明によるドアの制動装置は、好ましくは、二つの摺動面の間隔が 制動部材の進入側に近づくにつれて徐々に広がるように、各摺動面の制動部材の進入側の領域が斜面として形成されている。
【００１４】
本発明によるドアの制動装置は、好ましくは、二つのプッシャーは摺動面に垂直な方向に互いに離反するように弾性部材により付勢されている。
【００１５】
本発明によるドアの制動装置は、好ましくは、摺動機構は、一方のプッシャーにおける他方のプッシャーに対する摺動範囲を制限する調整ネジを有する。
【００１６】
本発明によるドアの制動装置は、好ましくは、制動部材は、支持部材を介して、支持部材に対して摺動面に垂直な方向への遊びをもって取り付けられる。
【００１７】
本発明によるドアの制動装置は、好ましくは、摺動機構は、一方のプッシャーに設けられた斜めスロットと、他方のプッシャーに設けられ且つ斜めスロットに係合するガイド部材と、から成り、斜めスロットは、ベース部材に近づくにつれて摺動面に接近する傾斜を有する。
【００１８】
本発明によるドアの制動装置は、好ましくは、ベース部材はドア枠に取り付けられ、制動部材はドアに取り付けられる。
【００１９】
本発明によるドアの制動装置は、ベース部材がドア枠に取り付けられ、ドアの閉動時に、制動部材がベース部材の摺動面間に進入し、二つのプッシャーと 二つの摺動面との摩擦力によりドアの閉動が抑制されるものでもよい。
【発明の効果】
【００２０】
上記構成によれば、ドアが閉じられて閉鎖位置に近づくと、または開かれて開放位置に近づくと、ドアまたはドア枠もしくは壁面に取り付けられた制動部材の各プッシャーが、ドア枠もしくは壁面またはドアに取り付けられたベース部材の二つの摺動面の間に進入して、各プッシャーの上下の面がそれぞれ対応する摺動面の斜面領域に当接する。
さらにドアが閉じられまたは開かれると、制動部材の各プッシャーの上下面がそれぞれ対応するベース部材の摺動面の斜面領域に沿って当接による摩擦力に抗して摺動する。
そして、ドアの持っている運動エネルギーが摩擦によって消費しつくされたとき、ドアの閉動または開動が停止する。
この場合、上述した摩擦力によって、ベース部材の各摺動面の斜面領域の傾斜角度に基づいて、制動部材の各プッシャーは摺動機構により互いに摺動しながら、上下方向に離反し、それに伴って当接力が増大し、摩擦力も増大する。これにより、ドアの閉動または開動が確実に停止するので、ドア閉動時または開動時のドアと開口部との間の手指等の挟み込みや騒音を確実に防止することができる。
【００２１】
この状態から、さらにドアが手動により閉じられまたは開かれると、ドアの手動による閉動または開動力が上述した当接力による摩擦力を超えたとき、制動部材がベース部材の二つの摺動面の斜面領域の間でさらに圧縮しながら当該傾斜部分に沿って摺動し、当該斜面領域を通過した後、摺動面の平坦部分に沿って摺動する。
このとき、一方のプッシャーは対応する摺動面の斜面領域による進入方向逆向きの力から解放されるので、摺動機構により他方のプッシャーに対して当該進入方向に摺動し、これにより、制動部材が摺動面に垂直な方向に圧縮することになり、ドアが閉鎖位置または開動位置まで容易に移動して、開口部を閉鎖する。
【００２２】
これに対して、ドアを閉鎖位置から開放する場合には、ドアを開放側に向かって押動すると、ドアの開動力が、制動部材の各プッシャーの上下面の対応する摺動面への付勢力による摩擦力を超えたとき、制動部材がベース部材の二つの摺動面の平坦部分そして斜面領域に沿って摺動して、ベース部材から抜けて、ドアが開放される。
従って、ドア開動時には、ドア閉動時のように、制動部材の付勢力が増大しないので、閉動時よりも軽く、ドアを容易に開放することができる。
【００２３】
ドアが開口部に対して平行移動可能に支持された引き戸であって、ベース部材がドア開閉による制動部材の直線状の移動路に沿って配置されている場合、あるいはドアが開口部の一側に枢支された開き戸であって、当接部がドア開閉による制動部材の円弧状の移動路に沿って配置されている場合には、ドアが引き戸であっても開き戸であっても、制動部材とベース部材との上述した相互作用により、ドアの閉動が閉鎖位置の手前で一旦停止する。これにより、ドアと開口部との間での手指等の挟み込みを確実に防止することができる。
【００２４】
摺動機構が、一方のプッシャーにおける他方のプッシャーに対する摺動範囲を制限する調整ネジを有する場合には、調整ネジを調整することによって、ドア閉鎖時における停止位置を調整することができる。
【００２５】
制動部材は、支持部材を介して、支持部材に対して摺動面に垂直な方向への遊びをもって取り付けられる場合には、ドア枠に対するドアの建付け精度により、ドア枠に対するドアの垂直方向の高さ位置がこの遊び分だけずれたとしても、ドアの閉動時に制動部材が確実に当接部の二つの当接面の間に進入し得る。
【００２６】
このようにして、本発明によれば、ドア閉動時の手指等の挟み込みを確実に防止し得るようにしたドアの制動装置を提供することができる。
【図面の簡単な説明】
【００２７】
【図１】本発明によるドアの制動装置の一実施形態の構成を示す概略斜視図である。
【図２】図１のドアの制動装置の下方から見た図である。
【図３】図１のドアの制動装置の詳細な構成を示す斜め上方から見た分解斜視図である。
【図４】図１のドアの制動装置の詳細な構成を示す斜め下方から見た分解斜視図である。
【図５】図１のドアの制動装置におけるベース部材を示す（Ａ）平面図，（Ｂ）正面図及び（Ｃ）側面図である。
【図６】図１のドアの制動装置における制動部材を示す（Ａ）平面図，（Ｂ）正面図，（Ｃ）一部破断正面図及び（Ｄ）Ａ−Ａ線断面図である。
【図７】図１のドアの制動装置におけるドア開放位置から閉動開始した状態を示す（Ａ）斜視図，（Ｂ）下方から見た図及び（Ｃ）移動路に沿った断面図である。
【図８】図１のドアの制動装置におけるドア停止位置を示す（Ａ）斜視図，（Ｂ）下方から見た図及び（Ｃ）移動路に沿った断面図である。
【図９】図１のドアの制動装置におけるドア閉鎖位置を示す（Ａ）斜視図，（Ｂ）下方から見た図及び（Ｃ）移動路に沿った断面図である。
【発明を実施するための形態】
【００２８】
図１及び図２は、本発明によるドアの制動装置の一実施形態の構成を示している。
図１に示すように、ドアの制動装置１０は、建物等に設けられた開口部を画成するドア枠１１に対して開閉可能に支持されたドア１２、例えば玄関ドアの閉動速度を抑制するためのものであって、ドア枠１１に取り付けられるベース部材２０と、ドア１２に取り付けられる制動部材３０と、から構成されている。
ここで、ドア枠１１は、図２に示すように、長方形の開口部を画成しており、ドア１２が隙間なくドア枠１１に当接するように、厚さ方向中間付近に突条部１１ａを備えている。
また、ドア１２は、一側（図１において左側，図２において下側）が、ドア枠１１に対して蝶番１２ａにより揺動可能に支持されている。
これにより、ドア１２は、ドア枠１１が画成する開口部に対して開閉可能に枢支されている。
尚、ドア１２は、図示しないドアクローザ等によって、閉動時に閉鎖方向に付勢されていてもよい。
【００２９】
ベース部材２０は、例えばガラス繊維入りのポリカーボネイト樹脂等から一体成形されており、図３，図４及び図５に示すように、ドア１２の閉動時における制動部材３０の移動路を上下から挟むように互いに対向して配置された二つの摺動面２１，２２を有している。
これら二つの摺動面２１，２２は、図５に示すように、制動部材３０の移動路に沿って円弧状に配置されている。
二つの摺動面２１，２２は、ドア開放側（図５（Ａ）にて左側）の領域２１ａ，２２ａで、それぞれドア開放側に向かってその間隔が徐々に広がるように、斜面として形成されている。
また、二つの摺動面２１，２２は、上記斜面領域２１ａ，２２ｂを除く領域では、互いに平行に配置され、等しい間隔、例えば１６ｍｍ程度に配置されている。
これに対して、二つの摺動面２１，２２は、ドア開放側、すなわち斜面領域２１ａ，２２ａの先端付近では、ドア１２に対する制動部材３０の上下方向の取付位置のバラツキを吸収し得るように、その間隔が制動部材３０の高さよりも遊び分（後述）だけ大きく、例えば３ｍｍ程度に選定されている。
【００３０】
さらに、ベース部材２０は、ドア枠１１に固定するための取付部材２３を有している。
この取付部材２３は、図３に示すように、ベース部材２０のドア開放側とは反対側の側面（右側面）に対して、固定される。
取付部材２３は、例えば図示の場合、ベース部材２０の右側面に開口する係合溝２０ａ内に、取付部材２３の係合部２３ａ（図３及び図４参照）を矢印Ａで示すように嵌合させることにより、ベース部材２０に対して固定される。
これにより、ベース部材２０は、図１及び図２に示すように、取付部材２３を介して、ドア枠１１のドア取付（蝶番１２ａ）側の側方の突条部１１ａに対して固定ネジ２４により固定保持される。
さらに、ベース部材２０は、右側面に関して上下二つの係合溝２０ａを有しており、ベース部材２０に対して、取付部材２３が上下何れの位置にも取付可能となっている。これにより、取付部材２３の取付位置によって、ベース部材２０が右開きのドアにも左開きのドアにも取り付けることが可能になっている。
また、ベース部材２０は、図１において上下方向に貫通する取付孔２０ｂを有し、この取付孔２０に固定ネジ（図示省略）が貫通しドア枠１１の上内辺に螺合することによりドア枠１１に固定される。
ベース部材２０は、一対の突起２０ｃ，２０ｄを有し、ドア枠１１の側内辺における対応する位置に穿設された穴（図示省略）に嵌合することによりドア枠１１に位置決めされる。
【００３１】
制動部材３０は、同様に例えばガラス繊維入りのポリカーボネイト樹脂等から一体成形されており、図３，図４及び図６に示すように、取付アーム３１と、この取付アーム３１により支持された二つのプッシャー３２，３３と、から構成されている。
取付アーム３１は、その取付部３１ａにより、固定ネジ３１ｂ（図２参照）により固定 され、さらに、取付穴３１ｂに取付ネジ（図示省略）を貫通させてドア１２に螺合することにより、ドア１２の取付側上部から水平方向に張り出すように保持される。
【００３２】
取付アーム３１は、取付部３１ａとは反対側に、二つのプッシャー３２，３３を受容する保持孔３１ｃを備えている。
保持孔３１ｃは、図３に示すように下側が拡大されており、段部３１ｄを構成している。
これにより、保持孔３１ｃは、段部３１ｄの下側では、第一のプッシャー３２の後述するフランジ３２ａを受容し得る寸法を有していると共に、段部３１ｄの上側では、第一のプッシャー３２のフランジ３２ａより小さい寸法を有している。
従って、第一のプッシャー３２は、そのフランジ３２ａが保持孔３１ｃの段部３１ｄの下側で上下に遊びをもって保持されることになる。この遊びは、例えば３ｍｍ程度に選定される。
【００３３】
第一のプッシャー３２は、例えばポリアセタール樹脂から構成されており、図３及び図４に示すように、下方が開放した中空直方体状の形状を有し、その下縁から周囲に張り出したフランジ３２ａを備えている。
第一のプッシャー３２は、その上面３２ｂが平坦に形成されており、ベース部材２０の上側の摺動面２１に当接し、摺動する。
【００３４】
さらに、第一のプッシャー３２は、その中空内部において、ドア開放側が支持された板バネ３２ｃを有している。
この板バネ３２ｃは、図示の場合、第一のプッシャー３２と一体成形されており、後述するように、第一のプッシャー３２内に配置される第二のプッシャー３３を下方に付勢する。
【００３５】
第二のプッシャー３３は、同様に例えばポリアセタール樹脂から構成されており、図３及び図４に示すように、ほぼ直方体状の形状を有し、第二のプッシャー３２の中空部内に収容されている。
さらに、第二のプッシャー３３は、幅が第一のプッシャー３２の中空部の幅とほぼ等しく選定されていると共に、長さが第一のプッシャー３２の中空部の長さより短く選定されている。
これにより、第二のプッシャー３３は、第一のプッシャー３２の中空部内で、長手方向、すなわちベース部材２０内への進入方向に移動することができる。
第二のプッシャー３３は、その下面３３ａが平坦に形成されており、ベース部材２０の下側の摺動面２２に当接し、摺動する。
【００３６】
ここで、第二のプッシャー３３は、第一のプッシャー３２の中空部内で、以下のように摺動機構によりガイドされるようになっている。
すなわち、第一のプッシャー３２は、その長手方向（ドア１２の開閉方向、すなわち図６（Ｃ）にて左右方向）に関して両側面に、摺動機構を構成する一対の斜めスロット３２ｄを有している。
この斜めスロット３２ｄは、図６（Ｃ）の右側、すなわちドア開放側に近づくにつれて下方、すなわち第二のプッシャー３３側に近づくように、ベース部材２０内に進入する方向に対して斜めに延びている。換言すれば、斜めスロット３２ｄは、第二のプッシャー３３が第一のプッシャー３２に対してベース部材２０内に進入する向きと逆向きに摺動するにつれて第二のプッシャー３３と第一のプッシャー３２とが互いに離反するようなテーパーを有している。
【００３７】
これに対して、第二のプッシャー３３は、その長手方向に関して両側面に、摺動機構を構成する一対のガイド部材３３ｂを有している。これらのガイド部材３３ｂは、上述した斜めスロット３２ｄと同じ傾斜を有する細長いピンとして形成されており、第二のプッシャー３３が第一のプッシャー３２の中空部内に収容された状態で、それぞれ対応する斜めスロット３２ｄに係合する。
これにより、第二のプッシャー３３は、第一のプッシャー３２の中空部内において上記ガイド部材３３ｂが対応する斜めスロット３２ｄ内を案内されることにより、第一のプッシャー３３に対して斜めスロット３２ｄの方向に並進可能に支持されることになる。
【００３８】
また、第一のプッシャー３２は、中空部内での第二のプッシャー３３の摺動範囲を制限する調整ネジ３４を受容する。調整ネジ３４は、ネジ孔３２ｅに螺合し、先端が第一のプッシャー３２の中空部内に突出することにより第二のプッシャー３３の褶動範囲を制限する。調節ネジ３４は、取付アーム３１に穿設された調整孔３１ｄからドライバを差し込んで回転することにより突出量を調整することができる。このようにして調整ネジ３４により第二のプッシャー３３の摺動範囲を制限することによって、制動部材３０のベース部材２０の摺動面２１，２２の斜面領域２１ａ，２２ａにおける停止位置を適宜に調整することができる。
【００３９】
ドアの制動装置１０は、以上のように構成されており、以下のようにドア１２に関して組付けられる。
すなわち、まず図１に示すように、ベース部材２０が、取付部材２３を介してドア枠１１の突条部１１ａに固定ネジ２４により固定される。
同時に、制動部材３０が、取付アーム３１の取付部３１ａにより、ドア１２の取付側の上方に固定ネジ３１ｂにより固定される。
これにより、ドア１２に関して、ドアの制動装置１０が組付けられる。
【００４０】
このようにしてドア１２に組付けられたドアの制動装置１０は、図７から図９に示すように動作する。
まず、ドア１２が開放されている状態から、ドア１２の閉動が開始されると、ドア１２の閉動に伴って、ドア１２に取り付けられた制動部材３０が円弧状に移動して、ベース部材２０に接近する。
【００４１】
そして、図７（Ｃ）に示すように、制動部材３０がベース部材２０の二つの摺動面２１，２２の間に進入すると、第一のプッシャー３２の上面３２ｂが上方の摺動面２１に当接すると共に、第二のプッシャー３３の下面３３ａが下方の摺動面２２に当接する。
その際、第二のプッシャー３３は、板バネ３２ｄにより下方に向かって付勢されているので、第二のプッシャー３３も確実に下方の摺動面２２に当接することになる。
ここで、ドア１２のドア枠１１に対する建付け誤差によって、制動部材３０がベース部材２０に対して上下方向にずれていたとしても、第一のプッシャー３２が取付アーム３１に対して上下方向に遊びをもって保持されていることにより、制動部材３０がベース部材２０の二つの摺動面２１，２２の間に確実に進入する。
【００４２】
さらに、ドア１２が閉じられると、制動部材３０の各プッシャー３２，３３の上面３２ｂ及び下面３３ａが、それぞれ対応するベース部材２０の摺動面２１ａ，２２ａに沿って、板バネ３２ｄの付勢力による摩擦力に抗して摺動する。
このとき、第二のプッシャー３３は、その下面３３ａと摺動面２２ａとの間の摩擦によって、ドア１２の閉動方向とは逆向きに第一のプッシャー３３内を移動し、これに伴って、第一のプッシャー３２の上面３２ｂと第二のプッシャー３３の下面３３ａとの間の距離、すなわち高さｈが増大するので、第一のプッシャー３２の上面３２ｂと第二のプッシャー３３の下面３３ａの対応する摺動面２１，２２に対する当接力が増大する。
【００４３】
これにより、図８に示すように、制動部材３０は、各プッシャー３２，３３の摺動面２１，２２に対する当接力がドア１２を閉じる力を上回ったとき、ドア１２の閉動が停止する。
ここで、ドア１２の停止位置においては、好ましくはドア１２の開度θは例えば約３０度程度である。これにより、ドア１２の取付側（蝶番１２ａ）側におけるドア１２の縁部とドア枠１１との間の間隔ｄは、例えば約１５ｍｍ程度確保される。
従って、ドア１２が停止位置で完全に閉動停止することと相まって、ドア１２の取付側における手指等の挟み込みが確実に防止されることになる。
【００４４】
この状態から、さらにドア１２が手動により閉じられると、ドア１２の手動による閉動力が上述した当接力による摩擦力を超えたとき、制動部材３０の各プッシャー３２，３３が、ベース部材２０の対応する摺動面２１，２２の斜面領域２１ａ，２２ａの間で、板バネ３２ｄの付勢力に抗して互いに圧縮されながら、当該斜面領域２１ａ，２２ａを摺動し、平坦部分に移行し、さらに摺動面２１，２２に沿って摺動する。
このとき、第二のプッシャー３３は、摺動面２２の斜面領域２２ａによる進入方向とは逆向きの力から解放されるので、ガイド部材３３ｂが斜めスロット３２ｄ内をガイドされて、第一のプッシャー３２に対して進入方向に摺動する。従って、制動部材３０の高さが小さくなるので、制動部材３０は、ベース部材２０の二つの摺動面２１，２２の平坦部分を容易に閉鎖位置まで摺動することができる。
このようにして、制動部材３０がベース部材２０の二つの摺動面２１，２２の平坦部分を摺動して、図８に示す閉鎖位置まで進む。これにより、ドア１２はドア枠１１に対して完全に閉鎖されることになる。
【００４５】
これに対して、図８に示す閉鎖位置からドア１２が開放される場合には、ドア１２が開放側に向かって押動されると、ドアの開放力が、制動部材３０の各プッシャー３２，３３の上面３２ｂ及び下面３３ａの対応するベース部材２０の摺動面２１，２２への当接力による摩擦力を超えたとき、制動部材３０がベース部材２０の二つの摺動面２１，２２の平坦部分及び斜面領域２１ａ，２２ａに沿って摺動した後、ベース部材２０の二つの摺動面２１，２２の間から脱出する。これにより、ドア１２は、ドアの制動装置１０の影響を受けるとこなく、開放され得る。
このとき、ドア１２の開動により、第二のプッシャー３３は、ベース部材２０の対応する摺動面２２との間の摩擦力によりドア閉鎖方向に移動し、これに伴って、制動部材３０の高さｈが低減する。従って、制動部材３０のベース部材２０の摺動面２１，２２に対する当接力が低減するので、ドア１２を開放するために必要な力が小さくて済み、ドア１２は容易に開放され得ることになる。
【００４６】
また、ベース部材２０の各摺動面２１，２２は、制動部材３０の移動路を上下から挟むように対向して配置されており、制動部材３０に対して上下から制動する。これにより、制動部材３０の第一のプッシャー３２及び第二のプッシャー３３は、動作時にベース部材２０の各摺動面２１，２２に対する摺動によって、トルクを受けることがない。従って、制動部材３０の取付強度をこのようなトルクに対応して高める必要はなく、また耐久性が損なわれるようなこともない。
【００４７】
ドア１２は、図示の場合、所謂右開き型のドアであるが、左開き型ドアの場合には、ベース部材２０に対して取付部材２３を他方の係合溝２０ａに係合させることにより、同一のベース部材２０で対応することができる。
【産業上の利用可能性】
【００４８】
本発明はその趣旨を逸脱しない範囲において様々な形態で実施することができる。
例えば、上述した実施形態においては、ベース部材２０がドア枠１１に、制動部材３０がドア１２に、それぞれ取り付けられているが、これに限らず、ベース部材２０がドア１２に、制動部材３０がドア枠１１に、それぞれ取り付けられていてもよい。
【００４９】
上述した実施形態においては、ベース部材２０の摺動面２１，２２は、制動部材３０の移動路を上下から挟むように互いに対向して配置されているが、これに限らず、ベース部材２０の摺動面２１，２２は、他の方向、例えば両側方から制動部材３０の移動路を挟むように互いに対向して配置されていてもよい。
【００５０】
上述した実施形態においては、ドア１２は、ドア枠１１に対して一側で蝶番１２ａにより揺動可能に支持された所謂開き戸であるが、ドア１２は、ドア枠１１に対して平行移動する所謂引き戸であってもよい。
この場合、ベース部材２０の摺動面２１，２２は、ドア１２の開閉による直線状の移動路に沿って配置されることになる。
【００５１】
上述した実施形態においては、ドアの制動装置１０は、ドアの閉鎖方向への運動を制御するが、ドアの制動装置１０の取付位置によっては、ドアストッパー、すなわち扉を開いたときに壁等にぶつかることを防止する装置の代用として使用することもでき、この場合、扉を勢いよく開けた場合であっても静かに停止できるという効果を得ることができる。
このようにドアの制動装置１０をドアストッパーとして利用する際は、それはベース部材２０をドア１２の開放位置に対応する壁面に取り付ける。
【００５２】
以上述べたように、本発明によれば、簡単な構成により、ドア閉動時の手指等の挟み込みを確実に防止し得るようにした、極めて優れたドアの制動装置が提供される。
【符号の説明】
【００５３】
１０    ドアの制動装置
１１    ドア枠
１１ａ  突条部
１２    ドア
１２ａ  蝶番
２０    ベース部材
２０ａ  係合溝
２１，２２    摺動面
２１ａ，２２ａ  斜面領域
２３    取付部材
２３ａ  係合部
２４    固定ネジ
３０    制動部材
３１    取付アーム
３１ａ  取付部
３１ｂ  固定ネジ
３１ｃ  保持孔
３１ｄ  段部
３２    第一のプッシャー
３２ａ  フランジ
３２ｂ  上面
３２ｃ  板バネ
３２ｄ  斜めスロット
３３    第二のプッシャー
３３ａ  下面
３３ｂ  ガイド部材
【図１】
0005584508.tif 000002
【図２】
0005584508.tif 000003
【図３】
0005584508.tif 000004
【図４】
0005584508.tif 000005
【図５】
0005584508.tif 000006
【図６】
0005584508.tif 000007
【図７】
0005584508.tif 000008
【図８】
0005584508.tif 000009
【図９】
0005584508.tif 000010